【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
酸化還元反応に伴う電子移動を電気エネルギーとして取り出す電気化学素子であって、
正極と、負極と、電解質とからなり、
前記正極および前記負極より選ばれる少なくとも一方が、一般式（１）：
【化１】
2004111374.tif 000001
（式中、Ｒ1およびＲ2は、それぞれ独立に鎖状または環状の脂肪族基であり、Ｒ1とＲ2は同じであっても異なっていてもよく、Ｘ1〜Ｘ4は、それぞれ硫黄原子であり、前記脂肪族基は、酸素原子、窒素原子、硫黄原子およびケイ素原子よりなる群から選ばれる１種以上を含むことができる。）で表される構造を有する化合物を含み、
前記化合物が、
一般式（２）：
【化２】
2004111374.tif 000002
（式中、Ｒ3〜Ｒ6は、それぞれ独立に鎖状の脂肪族基、水素原子またはヒドロキシル基であり、Ｒ3〜Ｒ6は同じであっても異なっていてもよく、前記脂肪族基は、酸素原子、窒素原子、硫黄原子およびケイ素原子よりなる群から選ばれる１種以上を含むことができる。）、
一般式（３）：
【化３】
2004111374.tif 000003
（式中、ＸおよびＹは、それぞれ独立に硫黄原子、酸素原子またはメチレン基であり、ＸとＹは同じであっても異なっていてもよい。）、
一般式（４）：
【化４】
2004111374.tif 000004
（式中、Ｒ9およびＲ10は、それぞれ独立に鎖状の脂肪族基、水素原子またはヒドロキシル基であり、Ｒ9とＲ10は同じであっても異なっていてもよく、前記脂肪族基は、酸素原子、窒素原子、イオウ原子およびケイ素原子よりなる群から選ばれる１種以上を含むことができ、ｎは３である。）、または、
一般式（５）：
【化５】
2004111374.tif 000005
で表されることを特徴とする電気化学素子。
【請求項２】
前記化合物が、一般式（２）〜（５）のいずれかで表される構造を複数有する高分子化合物である請求項１記載の電気化学素子。
【請求項３】
前記高分子化合物が、ポリアセチレン鎖を主鎖として有する請求項２記載の電気化学素子。
【請求項４】
前記高分子化合物が膜を形成している請求項２記載の電気化学素子。
【請求項５】
前記電解質が、溶媒および前記溶媒に拡散するアニオンとカチオンからなり、前記化合物が、酸化還元反応に伴い、前記カチオンと配位結合を形成する能力を有する請求項１記載の電気化学素子。
【請求項６】
前記カチオンが、リチウムイオンである請求項５記載の電気化学素子。
【請求項７】
前記電解質が、溶媒および前記溶媒に拡散するアニオンとカチオンからなり、前記化合物が、酸化還元反応に伴い、前記アニオンと配位結合を形成する能力を有する請求項１記載の電気化学素子。
【請求項８】
前記正極が、前記化合物を正極活物質として含み、前記負極が、炭素材料を負極活物質として含む請求項１記載の電気化学素子。
【請求項９】
前記正極が、前記化合物を正極活物質として含み、前記負極が、リチウム金属、リチウム含有複合窒化物およびリチウム含有複合チタン酸化物よりなる群から選ばれる少なくとも１種を負極活物質として含む請求項１記載の電気化学素子。
【請求項１０】
前記少なくとも一方の電極が、さらに、前記化合物を担持する基材を含み、前記基材と前記化合物とが、化学結合により結合されている請求項１記載の電気化学素子。
【請求項１１】
前記化学結合が、共有結合および配位結合よりなる群から選択される少なくとも１種である請求項１０記載の電気化学素子。
【請求項１２】
前記共有結合が、Ｓｉ−Ｏ結合、Ｔｉ−Ｏ結合およびアミド結合よりなる群から選択される少なくとも１種を含む請求項１１記載の電気化学素子。
【請求項１３】
前記配位結合が、金属−硫黄結合である請求項１１記載の電気化学素子。
【請求項１４】
一般式（１）：
【化６】
2004111374.tif 000006
（式中、Ｒ1およびＲ2は、それぞれ独立に鎖状または環状の脂肪族基であり、Ｒ1とＲ2は同じであっても異なっていてもよく、Ｘ1〜Ｘ4は、それぞれ硫黄原子であり、前記脂肪族基は、酸素原子、窒素原子、硫黄原子およびケイ素原子よりなる群から選ばれる１種以上を含むことができる。）で表される構造を有する化合物からなり、
前記化合物が、
一般式（２）：
【化７】
2004111374.tif 000007
（式中、Ｒ3〜Ｒ6は、それぞれ独立に鎖状の脂肪族基、水素原子またはヒドロキシル基であり、Ｒ3〜Ｒ6は同じであっても異なっていてもよく、前記脂肪族基は、酸素原子、窒素原子、硫黄原子およびケイ素原子よりなる群から選ばれる１種以上を含むことができる。）、
一般式（３）：
【化８】
2004111374.tif 000008
（式中、ＸおよびＹは、それぞれ独立に硫黄原子、酸素原子またはメチレン基であり、ＸとＹは同じであっても異なっていてもよい。）、
一般式（４）：
【化９】
2004111374.tif 000009
（式中、Ｒ9およびＲ10は、それぞれ独立に鎖状の脂肪族基、水素原子またはヒドロキシル基であり、Ｒ9とＲ10は同じであっても異なっていてもよく、前記脂肪族基は、酸素原子、窒素原子、イオウ原子およびケイ素原子よりなる群から選ばれる１種以上を含むことができ、ｎは３である。）、または、
一般式（５）：
【化１０】
2004111374.tif 000010
で表されることを特徴とする電気化学素子用電極活物質。
【請求項１５】
前記化合物が、一般式（２）〜（５）のいずれかで表される構造を複数有する高分子化合物である請求項１４記載の電気化学素子用電極活物質。
【請求項１６】
前記高分子化合物が、ポリアセチレン鎖を主鎖として有する請求項１５記載の電気化学素子用電極活物質。
【請求項１７】
前記高分子化合物が膜を形成している請求項１５記載の電気化学素子用電極活物質。
【請求項１８】
前記活物質が、さらに、前記化合物を担持する基材を含み、前記基材と前記化合物とが、化学結合により結合されている請求項１４記載の電気化学素子用電極活物質。
【手続補正２】
【補正対象書類名】明細書
【補正対象項目名】００１０
【補正方法】変更
【補正の内容】
【００１０】
（式中、Ｒ1およびＲ2は、それぞれ独立に鎖状または環状の脂肪族基であり、Ｒ1とＲ2は同じであっても異なっていてもよく、Ｘ1〜Ｘ4は、それぞれ硫黄原子であり、前記脂肪族基は、酸素原子、窒素原子、硫黄原子およびケイ素原子よりなる群から選ばれる１種以上を含むことができる。）で表される構造を有する化合物を含むことを特徴とする電気化学素子に関する。
【手続補正３】
【補正対象書類名】明細書
【補正対象項目名】００１３
【補正方法】変更
【補正の内容】
【００１３】
（式中、Ｘ1〜Ｘ4は、それぞれ硫黄原子であり、Ｒ3〜Ｒ6は、それぞれ独立に鎖状の脂肪族基、水素原子またはヒドロキシル基であり、Ｒ3〜Ｒ6は同じであっても異なっていてもよく、前記脂肪族基は、酸素原子、窒素原子、硫黄原子およびケイ素原子よりなる群から選ばれる１種以上を含むことができる。）で表される化合物を用いることができる。
【手続補正４】
【補正対象書類名】明細書
【補正対象項目名】００１６
【補正方法】変更
【補正の内容】
【００１６】
（式中、Ｘ1〜Ｘ4は、それぞれ硫黄原子であり、ＸおよびＹは、それぞれ独立に硫黄原子、酸素原子またはメチレン基であり、ＸとＹは同じであっても異なっていてもよい。）で表される化合物を用いることができる。
一般式（１）で表される構造を有する化合物には、また、一般式（４）：
【手続補正５】
【補正対象書類名】明細書
【補正対象項目名】００１８
【補正方法】変更
【補正の内容】
【００１８】
（式中、Ｘ1〜Ｘ4は、それぞれ硫黄原子であり、Ｒ9およびＲ10は、それぞれ独立に鎖状の脂肪族基、水素原子またはヒドロキシル基であり、Ｒ9とＲ10は同じであっても異なっていてもよく、前記脂肪族基は、酸素原子、窒素原子、イオウ原子およびケイ素原子よりなる群から選ばれる１種以上を含むことができ、ｎは３である。）で表される化合物を用いることができる。
一般式（１）で表される構造を有する化合物には、また、一般式（５）：
【手続補正６】
【補正対象書類名】明細書
【補正対象項目名】００２０
【補正方法】変更
【補正の内容】
【００２０】
（式中、Ｘ1〜Ｘ4は、それぞれ硫黄原子である。）で表される化合物を用いることができる。
一般式（２）および（４）において、前記脂肪族基としては、例えば、アルキル基、アルコキシ基、ヒドロキシアルキル基、チオアルキル基、アルデヒド基、カルボン酸基などが挙げられる。
【手続補正７】
【補正対象書類名】明細書
【補正対象項目名】００３０
【補正方法】変更
【補正の内容】
【００３０】
（式中、Ｒ1およびＲ2は、それぞれ鎖状または環状の脂肪族基であり、Ｒ1とＲ2は同じであっても異なっていてもよく、Ｘ1〜Ｘ4は、それぞれ硫黄原子であり、前記脂肪族基は、酸素原子、窒素原子、硫黄原子およびケイ素原子よりなる群から選ばれる１種以上を含むことができる。）で表される構造を有する化合物（以下、活物質化合物ともいう）からなることを特徴とする。活物質化合物は、電池内において酸化還元反応を行い、電子の授受を行う。
【手続補正８】
【補正対象書類名】明細書
【補正対象項目名】０１４１
【補正方法】変更
【補正の内容】
【０１４１】
【化３１】
2004111374.tif 000011
【手続補正９】
【補正対象書類名】明細書
【補正対象項目名】０１５０
【補正方法】変更
【補正の内容】
【０１５０】
【化３２】
2004111374.tif 000012
【手続補正１０】
【補正対象書類名】明細書
【補正対象項目名】０１５５
【補正方法】変更
【補正の内容】
【０１５５】
【化３３】
2004111374.tif 000013